(57)【要約】      （修正有）【課題】ユーザーの要望にきめ細かに応え得る机を、コストと消費エネルギーとをなるべく抑制した状態で提供する。【解決手段】机は、複数種類の机に共用できるようにユニット化された天板１と脚（支持体）２とバックフレーム３とを備えており、天板１と脚２との相互間及び脚２とバックフレーム３との相互間は互いに連結されている。バックフレーム３の前後両面に脚２を連結し得る。天板１は、例えば、その後方に配線空間が空いた前進位置と、その後端がバックフレーム３の背面と同一面を成す中間位置と、その後端部がバックフレーム３からオーバーハングした後退位置とに前後位置を選択した状態で脚２に連結できる。【選択図】図４
2006136541.tif 000002
【特許請求の範囲】
【請求項１】
天板と、この天板を支持する左右の支持体と、前記左右支持体の後部に重なるように配置されたバックフレームとを備えており、前記天板と支持体との相互間並びに左右支持体とバックフレームとの相互間をそれぞれ連結して成り、バックフレームを強度メンバーとしている机であって、
前記バックフレームは、その前後両面に支持体を連結できる連結手段を設けており、更に、前記天板は、その後端部がバックフレームの後方にオーバーハングした状態で脚に連結可能になっている、
机。
【請求項２】
天板と、この天板を支持する左右の支持体と、前記左右支持体の後部に重なるように配置されたバックフレームとを備えており、前記天板と支持体との相互間並びに左右支持体とバックフレームとの相互間をそれぞれ連結して成り、バックフレームを強度メンバーとしている机であって、
前記天板は、少なくとも前後２カ所の位置に位置変更可能な状態で脚に連結されている、
机。
【請求項３】
前記天板は、その後端面とバックフレームとの間に配線空間が空くように脚の後面よりも手前に位置した前進位置と、その後端面がバックフレームの後面と略一致した中間位置と、その後端部がバックフレームよりも後方にオーバーハングした後退位置との３つの位置を選択して脚に連結可能になっている、
請求項１又は２に記載した机。
【請求項４】
前記バックフレームには、その前後両面に支持体を連結し得る連結手段が設けられている、
請求項２又は３に記載した机。
【発明の詳細な説明】
【技術分野】
【０００１】
本願発明は、簡易に組立できる机（テーブル）に関するものである。
【背景技術】
【０００２】
机には様々の構造のものがあるが、左右の脚で天板で支持した構造が一般的であり、例えば特許文献１に記載されているように、脚の背面に幕板を取付けているものも多い。また、特許文献１に記載されているように、天板の片側又は両側を袖抽斗で支持したものも多い。
【０００３】
他方、特許文献２には、脚を、脚柱の上端から前後にアーム（支持腕）が張り出した形態として、前後のアームで別々の天板を支持することにより、人が向かい合わせて使用できるようにした机において、任意のユニット数だけ連結できるようにしたものが開示されている。
【０００４】
また、特許文献３には、複数枚の天板を左右又は前後に配置して互いに連結して成る多連式机において、隣合った天板に跨がるように脚を配置すること、換言すると、隣合った天板で１つの脚を共有することが記載されている。
【特許文献１】特許第３３２６６７８号公報
【特許文献２】特公昭６２−５４４８７号公報
【特許文献３】実開昭６２−２０５２４号公報
【発明の開示】
【発明が解決しようとする課題】
【０００５】
特許文献１のように机の背面に幕板を取付けることは広く行われているが、幕板は遮蔽のために設けられており、通常の机では、天板と脚とを連結してから幕板を取付けている。すなわち、通常の机は、天板と脚とを強固に連結することによって全体の剛性を確保している。
【０００６】
さて、机には、片側だけに人が座る片面タイプ、人が向かい合って人が座る両面タイプ、天板の片側に一人だけが座るシングルタイプ、天板の片側に複数人が座り得る共用タイプというように様々のタイプがあり、従って、メーカーは品揃えを豊富にする必要がある。
【０００７】
そして、従来は、各種類の机ごとに専用の部材を用意して組立てており、このため机群の全体として見ると、加工コストや管理コスト、運搬コスト等の諸費用が嵩むと共に、加工に要するエネルギー、運搬に要するエネルギー、廃棄した後の処理に要するエネルギー等のエネルギーの使用量も増えがちとなり、環境負荷が大きいという問題がある。
【０００８】
この問題に対して本願出願人は、特願２００３−１３９４５８号において、脚又は袖抽斗のような支持体で天板を支持して成る机において、机を天板と支持体とバックフレームとからなる構成として、これら天板と支持体とバックフレームとを、複数種類の机に共用できるようにユニット化することにより、机群の全体としての製造コスト及び消費エネルギーをできるだけ抑制することを提案した。
【０００９】
ところで、机を使用するユーザーの要望として、机の後部に配線空間が必要である場合と必要でない場合とがあり、また、人が向かい合って使用する両面タイプの机の場合、前後の天板が突き合わさって１枚板状になっている態様を欲する場合と、前後の天板の間に空間（例えば配線空間）を空けた状態を欲する場合とがある。すなわち、天板の前後位置を変えたいという要望がある。しかし、従来の机において天板の前後位置は一定であり、このため、ユーザーの要望に応えるには複数種類の机を製造せざるを得ず、そうすると、上記したようなコストや環境負荷の問題が生じる。
【００１０】
本願発明はこのような現状に鑑みなされたもので、前記先願の思想を踏襲しつつ、ユーザーフレンドリーな机をコストと消費エホルギーとができるだけ抑制された状態で提供することを課題とするものである。
【課題を解決するための手段】
【００１１】
本願発明は、前提の構成として、天板と、この天板を支持する左右の支持体と、前記左右支持体の後部に重なるように配置されたバックフレームとを備えており、前記天板と支持体との相互間並びに左右支持体とバックフレームとの相互間をそれぞれ連結して成り、バックフレームを強度メンバーとしている。
【００１２】
そして、請求項１の発明では、特徴として、前記バックフレームは、その前後両面に支持体を連結できる連結手段を設けており、更に、前記天板は、その後端部がバックフレームの後方にオーバーハングした状態で脚に連結可能になっている。
【００１３】
請求項３の発明は、請求項１又は２において、前記天板は、その後端面とバックフレームとの間に配線空間が空くように脚の後面よりも手前に位置した前進位置と、その後端面がバックフレームの後面と略一致した中間位置と、その後端部がバックフレームよりも後方にオーバーハングした後退位置との３つの位置を選択して脚に連結可能になっている。
【００１４】
請求項４の発明は、請求項２又は３において、前記バックフレームには、その前後両面に支持体を連結し得る連結手段が設けられている。
【発明の効果】
【００１５】
請求項１の発明によると、天板がバックフレームの後方にオーバーハングした机を提供できるが、バックフレームを強度メンバーとした机であるため、天板がオーバーハングしていない机と部材を共用することができ、オーバーハングしていない机とは、脚に対する天板の取り付け位置を異ならせるだけで良く、かつ、バックフレームの前後両面に支持体を連結できるため、バックフレームは両面タイプの机にも兼用できる。このため、製造コストや消費エネルギーをできるだけ抑制しつつ、机の品揃えを豊富化できる。
【００１６】
請求項２のように構成すると、１台の机において天板の前後位置を変更できるため、ユーザーの要望により的確に応えることができる。更に、請求項３のように構成すると、天板の前後位置を３段階に調節できるため、使い勝手をより向上させることができる。なお、請求項２では、天板の前後位置を無段階的に調節する構成にすることも可能である。
【００１７】
請求項４のように構成すると、片面タイプの机と両面タイプの机とで部材を共通化でき、しかも、例えば前後の天板の間に配線空間が空いた状態と前後の天板を突き合わせた状態とを選択することが可能となり、使い勝手が良い。
【発明を実施するための最良の形態】
【００１８】
次に、本願発明の実施形態を図面に基づいて説明する。
【００１９】
(1).第１実施形態の概要
図１〜図１１は第１実施形態を示している。このうち図１（Ａ）は両面タイプの机とした状態での概略斜視図、図１（Ｂ）は両面タイプの机とした状態での分離斜視図、図３は両面タイプの机とした状態での側面図、図４は片面タイプの机として状態での側面図である。
【００２０】
これらの図に示すように、机は、主要部材として、平面視矩形（横長長方形）に形成された前後２枚の天板１と、支持体の一例としての左右一対ずつ合計４個の脚２と、１つのバックフレーム３とを備えている。
【００２１】
本実施形態の天板は木製（勿論、スチール製等の他の素材製でも良い）であり、上面にはメラミン樹脂層を設け、周囲には合成樹脂製等のエッジを固着している。図示していないが、天板１の下面には抽斗を設けている。図１〜３の態様では、天板１とバックフレーム３との間には配線用空間５が空いている。
【００２２】
脚２は金属板製（スチール製）であり、上下長手の脚柱部６とその下部から前向きに延びる下アーム部７と脚柱部６の上端部から前向きに延びる上アーム部８とで側面視略コ字状に形成されている（勿論、他の形態でも良い）。脚２は、天板１及びバックフレーム３の左右外側面よりも僅かな寸法だけ内側に入った位置に配置されている。脚２の下面にはアジャスターボルト９を設けている。
【００２３】
バックフレーム３は金属板製で、外周を構成する縦長の左右サイドメンバー１０と横長のアッパーメンバー１１及びロアメンバー１３とで前後に開口した正面視矩形（四角形）に形成されている。バックフレーム３の上面と脚２の上面と同一高さに設定されている。また、バックフレーム３の下面は床よりもある程度の寸法だけ高い高さに位置している。バックフレーム３には別体のバックパネル１２を着脱自在に取付けることができる。
【００２４】
バックフレーム３の横幅寸法は天板１の横幅寸法と同じ寸法に設定されている。このため、複数の机を天板１及びバックフレーム３が互いに密着（又は密接）した状態で並設することができる。なお、バックフレーム３は脚２の上面よりも下方に配置しても良い。また、本実施形態のバックフレーム３は前後に開口した枠状に形成されているが、この場合、目隠し用の幕板を着脱自在又は取り外し不能に取付けるのが好ましい。
【００２５】
(2).バックフレームと脚との連結構造
次に、図５〜図７を参照してバックフレーム３と脚２との連結構造を説明する。図５はバックフレーム３と脚２との分離斜視図、図６は天板１を仮想線で示した部分平面図、図７のうち（Ａ）は脚２の後部の縦断側面図、（Ｂ）は（Ａ）のうち符号Ｂで矢視した部分の拡大図、（Ｃ）は（Ａ）のうち符号Ｃで矢視した部分の拡大図である。
【００２６】
図５に示すように、バックフレーム３のアッパーメンバー１１とロアメンバー１３とは前板と裏板とを有する中空状で断面略Ｃ形でかつ先端縁にリップ１４を備えており、リップ１４が内向きとなる姿勢で配置されている。サイドメンバー１０は、前板と裏板とを有する中空状で内側に向けて開口する断面コ字状に形成されている。言うまでもないが、各メンバーの形状は任意に選択することができる。
【００２７】
アッパーメンバー１１とロアメンバー１３の左右端部１１ａ，１３ａはサイドメンバー１０の上下端部に被さっており、各メンバーが互いに重なり合った部分はスポット溶接等の溶接によって固着されている。サイドメンバー１０における左右外側板の上部と下部とには、溶接用プロープを差し込むための窓穴３ａが空いている（図１〜４参照）。
【００２８】
例えば図５から容易に理解できるように、脚柱部６は中空状に形成されており、脚柱部６の後端を構成する後面板６ａの上端部に、上向きに開口した左右一対の第１切り開き溝１７を形成している一方、バックフレーム３におけるサイドメンバー１０のうちアッパーメンバー１１の端部１１ａの真下部分の前面には、第１切り開き溝１７に上方から嵌まり込む首部１８とこれよりも大径の頭部１９とを有する第１突起２０がビス２１で固定されている。
【００２９】
また、バックフレーム３におけるロアメンバー１３のうち脚２と重なる左右端部１３ａには、下向きに開口した左右一対の第２切り開き溝２２が形成されている一方、脚２の後面板６ａには、第２切り開き溝２２に下方から嵌まり込む首部１８とこれよりも大径の頭部１９とを有する第２突起２３がビス２１で固定されている。第１突起２０と第２突起２３とは同一種類であり、また、両切り開き溝１７，２２は形状及び寸法とも同じである。
【００３０】
第２切り開き溝２２及び第２突起２３はバックフレーム３の前後両面に対称状に配置されている。従って、バックフレーム３の前後両面に脚２を取付けることより、２枚の天板２が背中合わせに配置された机を構成することができる。勿論、図４のように、バックフレーム３の片面だけに脚２を取付けて、天板１が１枚だけのシングルタイプの机を構成することも可能である。
【００３１】
バックフレーム３と脚２とを連結するに際しては、左右一対ずつ脚２を位置決めして、前後の脚２でバックフレーム３を挟んだ状態にしてから、バックフレーム３を左右脚２の背面に重ねた状態で下方にスライドさせることにより、切り開き溝１７，２２と突起２０，２３と嵌め合わせたら良い。このため、連結作業を簡単に行える。切り開き溝１７，２２は突起２０，２３の誘い込みを容易ならしめるため開口部を幅広に形成している。
【００３２】
脚２の後部の中空部内には、脚２の上端面よりも若干の寸法だけ下方に位置した状態で補強板２４が溶接されており、この補強板２４と後面板６ａとの間に、第１突起２０が通過し得る隙間が空いている。また、補強板２４には、第１突起２０が上向き動するのを阻止する板材製の規制体２５がビス２６で固定されている。このため、例えば机を移動させるに際してバックフレーム３を持ち上げるというようにバックフレーム３に上向きの力が作用しても、バックフレーム３と脚２との連結が解除されることはない。
【００３３】
なお、本実施形態では突起２０，２３をビス２１で固定しているが、突起２０，２３に雄ねじ部を一体に形成したり、頭付きボルトを突起に使用したりすることも可能である。また、突起２０，２３は必ずしも円形には限らず、例えば平面視凸形で正面視矩形に形成することなども可能である。
【００３４】
バックフレーム３と脚２との連結手段は様々の態様を採用できるが、本実施形態のように、バックフレーム３を脚２の後面に重ねて下方にスライドさせて、突起２０，２３と切り開き溝１７，２２とを嵌め合わせる構成を採用すると、連結作業を簡単に行える利点がある。
【００３５】
(3).天板と脚との連結構造
次に、図６，図７に加えて図８〜１０も参照して天板１と脚２との連結構造を説明する。図８は天板１と脚２との連結構造を示す分離斜視図、図９のうち（Ａ）は図６の IXA-IXA視断面図、（Ｂ）は左右２枚の天板１を１つの脚２（中間脚）で支持してなる机の概略正面図、（Ｃ）は（Ｂ）の机の要部断面図、図１０のうち（Ａ）は天板１の側端部の平面図（天板１は一点鎖線で表示している）、（Ｂ）は（Ａ）の部分拡大図、（Ｃ）は（Ｂ）のＣ−Ｃ視断面図である。
【００３６】
脚２の上アーム部８は、上向きに開口した樋状でかつ上端には内向きのリップ８ａを備えており、その後部は脚柱部６の内面に溶接によって固着されている。そして、上アーム部８に前後一対の下係合体２８をビス２９で固定している一方、天板１の左右端部の下面には、下係合体２８と係合する前後一対の上係合体３０をビス３１で固定している。下係合体２８を取付けるため上アーム部８のリップ８ａは部分的に切欠かれている。
【００３７】
上係合体３０は金属板製で正面視略Ｌ字状の形態を成しており、水平部分がビス３１で天板１に固定されている。天板１にはビス３１がねじ込まれる鬼目ナット３２を埋設している。上係合体３０の鉛直部３０ａには、側面視鉤形で下向きの上係合爪３３と、天板１に設けた位置決め穴３４に嵌まる上向きの位置決め突起３５が形成されている。そして、前部の上係合体３０では上係合爪３３が前方に向いており、後部の上係合体３０では上係合爪３３が後方に向いている（前後の上係合体３０の上係合爪３３を逆向きにしても良い。）。
【００３８】
下係合体２８は合成樹脂製であり、上アーム部８の底面に重なるベース部２８ａと、ベース部２８ａから立ち上がったブロック状の位置決め部８ｂと、空間を挟んで位置決め部２８ｂと前後反対側に配置された左右一対の下係合爪３６とを備えており、位置決め部２８ｂには、上係合体３０の鉛直部３０ａが嵌まる上向き開口で左右一対の位置決め溝３７が形成されている。位置決め溝３７の上端は、上係合体３０の鉛直部３０ａを誘い込むため、正面視で上向きに広がるテーパ状に形成されている。
【００３９】
下係合爪３６は、上係合爪３３が噛み合うように側面鉤形に形成されており、前部の下係合体２８は下係合爪３６が後方に向く姿勢になっており、後部の下係合体２８は下係合爪３６が前方に向く姿勢になっている。
【００４０】
左右の脚２を位置決めしてから天板１を下方に押し付けて、上下係合体２８の係合爪３３，３６をその弾性に抗して嵌め合わせることにより、天板１と脚２とが連結される。そして、下係合体２８の位置決め溝３７に上係合体３０の鉛直部３０ａが嵌まっていることにより、天板１は左右方向にガタ付かない状態に保持される。また、上下係合体２８，３０の係合爪３３，３６が前後において逆向きであることにより、天板１は前後ずれ不能に保持されている。
【００４１】
天板１を脚２に連結した状態で上係合体３０の水平部は脚２の上面に重なっており、このため、天板１と脚２との間には、上係合体３０の板厚寸法と同じ前記隙間４が空いている。
【００４２】
１枚の天板１のみを左右の脚２で支持する場合は、図９に示すように、上係合爪３３は下係合体２８における外側寄りの下係合爪３６に係合させる。他方、図７（Ｂ）のように１つの脚（中間脚）２で２枚の天板１を支持する連増しタイプの場合は、図７（Ｃ）に示すように、左右の天板１の上係合爪３３を下係合体２８の下係合爪３６に係合させる。従って、上係合体３０の鉛直部３０ａ及び上係合体３０と天板１の外側面との間隔Ｌ１は、下係合体２８における下係合爪３６及び位置決め溝３７の間隔Ｌの半分の寸法になっている。
【００４３】
下係合体２８に位置決め溝３７と下係合爪３６とを左右一対ずつ設けたことにより、１枚だけの天板１を支持する態様と、複数枚の天板１を左右に連設したタイプとに共用できる。なお、上係合体３０を左右ずれ不能に保持する位置決め手段は実施形態のような位置決め溝には限らず、他の方法も採用できる。また、上下係合爪３３，３６の形態も様々に具体化できる。
【００４４】
(4).天板の前後位置変更手段
脚１には前後一対の下係合体２８を配置している一方、天板１には、鬼目ナット３２（ねじ穴）と位置決め穴３４との前後対を前後方向にずらした状態で３対ずつ形成しており、これにより、前後上係合体３０の取付け位置を前後方向に沿った３カ所の位置にずらして選択的に固定できるようになっている。
【００４５】
また、上係合体３０の対が最もに奥に位置した状態（図１０のａ位置）では、天板１の後面とバックフレーム３との間に配線空間５が空き、上係合体３０の対が中間部に位置した状態（図１０のｂ位置）では、天板１の後面とバックフレーム３の後面とが略同一面を成した図４（Ａ）の態様になり、上係合体３０の対が手前側に位置した状態（図１０のｃ位置）では、天板１の後端部がバックフレーム３の後方にオーバーハングするように設定している。
【００４６】
いずれの態様においても、机はバックフレーム３の片側だけに天板１を備えた態様と、バックフレーム３の前後両側に天板１を備えている態様とを選択できる。図４（Ａ）に示すように、実線で示す天板１及び脚２と一点鎖線で示す天板１及び脚２とを設けた場合、前後の係合体１は１枚板状に連続する。
【００４７】
また、図４（Ｂ）に示すように、実線で示した天板１はバックフレーム３の後方にオーバーハングさせ、一点鎖線で示した天板１は手前側にずらすことにより、両面タイプの机において天板１の位置を前後方向にずらすことも可能である。なお、図４（Ｂ）に二点鎖線で示すように、前後幅寸法が異なる天板１をユニットとして何種類か用意しておき、ユーザーの要望に応じて付け替えることも可能である。
【００４８】
本実施形態では上係合体３０のみの位置を変更したが、例えば、前後の上係合体３０が板部を介して一体に連続した状態に形成し、板部に前後長手の長穴を形成して、この長穴に挿入したねじを天板１にねじ込むことにより、上係合体３０の取付け位置を無段階的に調節することも可能である。
【００４９】
また、下係合体２８のみの位置を段階的又は無断階的にに変更調節すること、又は、上下の係合体３８，３０を共に段階的又は無段階的に調節可能とすることも可能である。
【００５０】
天板１は、その後端面が脚１の後面と略同一面を成す位置に固定することも可能である。この場合は、天板１の後方にはバックフレーム３の前後厚さと同じ空間が空くが、この空間を配線空間に利用することも可能である。
【００５１】
(5).バリエーション
既述したとおり、バックフレーム３が上向きに露出している場合は、バックフレーム１にバックパネル１５を取付けることが可能である。その取付け方法の１つとして、図１１に示すように、バックフレーム３の左右端部等の適当な箇所に複数個の支持穴４６を設けて、バックパネル３９から下向き突設した足棒４７を支持穴４６に嵌め込むことが考えられる。なお、バックフレーム３が上向きに露出している場合は、バックフレーム３は天板１の上方に露出させてその露出部でバックパネルムを構成することができる。
【００５２】
ところで、バックフレームを互いに密着させた状態で机を左右に並設することが広く行われており、このようなレイアウトの場合、左右に隣合ったバックフレーム３を互いに連結するのが好ましい。図１２ではバックフレーム同士の連結方法の例を示している。
【００５３】
（Ａ）に示す例では、サイドメンバー１０の外側板に溶接用の窓穴３ａが空いていることを利用して、この窓穴３ａの箇所で、ヘアピン状のクリップ５５を両サイドメンバー１０の外側板を弾性的に挟持している。他方、（Ｂ）に示す例では、隣合ったサイドメンバー１０をボルト（ビス）５６で締結している。アッパーメンバー１１の上面板の左右端部に上下に開口したスリットを形成して、左右に隣合ったスリットに（Ｂ）と類似したクリップ５５を嵌め込むことで連結することも可能である。
【００５４】
(6).変形例
天板１は必ずしも脚２で支持するとは限らず、図１３（Ａ）に示すように、片側又は両側を袖抽斗（ワゴン）４８で支持する場合もある。この場合は、図１３（Ｂ）に示すように、バックフレーム３を連結するためには袖抽斗４８の後面板４８ａに第１切り開き溝１７と第１突起２０とを設けたら良い。また、図示していないが、天板１との連結のためには、前記した下係合体２８を袖抽斗４８の左右外寄りの端部上面に固定したら良い。
【００５５】
左右に隣合った２枚の天板１を袖抽斗４８で支持することも可能であり、この場合は、第１切り開き溝１７と第１突起２０とは左右に分ける中心線を挟んだ両側に配置すれば良く、下係合体２８は左右に分ける中心線に沿った部位に設けたら良い。
【００５６】
(7).他の実施形態（図14〜図15）
図１４では天板１の前後位置調節手段の別例である第２実施形態を示している。（Ａ）は要部の縦断正面図、（Ｂ）は（Ａ）のＢ−Ｂ視平断面図である。
【００５７】
この実施形態では、天板１の左右側部の下面に、上向き開口の樋状でかつ上端には外向きのフランジを有する前後長手のガイド体５０を固定し、このガイド体５０を脚２における上アーム部８の中空部に前後動可能に嵌め入れている。そして、ガイド体５０の底板には前後長手の長穴５１が形成されており、上アーム部８の底板を下方から貫通して長穴５１に挿入したビス５２を、ガイド体５０の内部に回転不能に嵌め入れた角ナット５３にねじ込んでいる。ガイド体５０のフランジは皿ビスで天板１に固定されている。
【００５８】
この実施形態では天板１の前後位置を無段階的に調節可能である。但し、ビス５２が緩むと外力によって天板１が不測に前後動することがある。これを防止するため、位置決め手段を設けて段階的に変更できるようにしても良い。
【００５９】
図１５では、左右脚２の間にバックフレーム３を配置した例を示している。（Ａ）は１枚のみ天板１を有する片面タイプの机であり、バックフレーム３の後面と脚２の後面とが略同一面を成している。他方、（Ｂ）に示す例は前後２枚の天板１を有する両面タイプの机であり、バックフレーム３の左右側面に前後の脚２が半分ずつ重なっている。
【００６０】
このように左右の脚２の間にバックフレーム３を配置した場合の両者の連結方法として、（Ｃ）に示す例では、脚２をバックフレーム３にビス（ボルト）５４で固定しており、（Ｄ）に示す例では、第１実施形態と同様に頭付き突起２０，２３と切り開き溝との組み合わせを採用している。
【００６１】
(8).その他
本願発明は上記実施形態の他にも様々に具体化することができる。例えばバックフレームと脚との連結手段は図示したものに限定されず、様々の方法を採用できる。バックフレームは、例えば全体が閉塞した中空板状に形成しても良い。バックフレームの前後両側に脚を配置した両面タイプの机と成す場合、１枚の天板を前後の脚にまたがった状態でかつ前後位置調節可能に連結することも可能である。
【図面の簡単な説明】
【００６２】
【図１】第１実施形態に係る机の斜視図である。
【図２】両面タイプの机となした場合の平面図である。
【図３】両面タイプの机とした状態での側面図である。
【図４】片面タイプの机として状態での側面図である。
【図５】バックフレームと脚との分離斜視図である。
【図６】天板を仮想線で示した部分平面図である。
【図７】脚とバックフレームとの連結構造を示す図である。
【図８】天板と脚との連結構造を示す分離斜視図である。
【図９】(A)は IXA-IXA視断面図、 (B)は左右２枚の天板を１つの脚（中間脚）で支持してなる机の概略正面図、 (C)は (B)の机の要部断面図である。
【図１０】(A)は天板１の側端部の平面図、 (B)は (A)の部分拡大図、 (C)は (B)の C-C視断面図である。
【図１１】バックパネルの取付け方法の一例を示す斜視図である。
【図１２】バックフレーム同士の連結手段の例を示す図である。
【図１３】(A)は片方の支持体として袖抽斗を使用した机の正面図、 (B)はバックフレームと袖抽斗との連結手段を示す斜視図である。
【図１４】第２実施形態を示す図である。
【図１５】第３実施形態を示す図である。
【符号の説明】
【００６３】
１  天板
２  脚
３  バックフレーム
１７  第１切り開き溝
２０  第１突起
２２  第２切り開き溝
２３  第２突起
２５  規制体
２８  下係合体
３０  上係合体
３３  上係合爪
３６  下係合爪
３７  位置決め溝
【図１】
2006136541.tif 000003
【図２】
2006136541.tif 000004
【図３】
2006136541.tif 000005
【図４】
2006136541.tif 000006
【図５】
2006136541.tif 000007
【図６】
2006136541.tif 000008
【図７】
2006136541.tif 000009
【図８】
2006136541.tif 000010
【図９】
2006136541.tif 000011
【図１０】
2006136541.tif 000012
【図１１】
2006136541.tif 000013
【図１２】
2006136541.tif 000014
【図１３】
2006136541.tif 000015
【図１４】
2006136541.tif 000016
【図１５】
2006136541.tif 000017